(57)【要約】【課題】寝具は寝汗により確実に毎日湿る。したがって寝具を毎日乾燥させて衛生的で、寝心地の良い就寝の提供を得る。【解決手段】就寝をしている上部の空間に竿を設けて、寝起きに即寝具類を該竿にかけて乾燥させておき、就寝に際しては該寝具類を引き降ろして寝床を形成させ、寝具の移動の時間や手間を省き、かつ天候に左右されない寝具乾燥器の構造および配置とする。【選択図】        図１
2004208980.tif 000002
【特許請求の範囲】
【請求項１】
洋式就寝台および和式寝床の上部空間を利用して最大４枚の寝具（Ａ１，Ａ２，Ａ３，Ａ４）を毎日、同時に、しかも寝具１枚あたり平均１０秒以内で就寝台上の乾燥竿（１３１ａ，１３１ｂ、１３２、１３３）に寝具を掛けて乾燥状態（Ｖ）にセットが可能で、さらに該寝具を降ろして、寝床を敷く（Ｓ）にも、同じく一枚当たり平均１０秒以内で作業が可能な構造と機能を持つ寝具乾燥器付き就寝台に関する。
【請求項２】
寝具乾燥竿２本（１３１ａ），（１３１ｂ）で構成される水平で、かつ並行な２つの竿を１本の乾燥竿と見なして、これに１枚の寝具を掛
けて乾燥させる構造の寝具乾燥器ユニット（０３０）に関する。
【請求項３】
多種類に及ぶ市販の就寝台巾（Ｌ１）に対応する寝具乾燥ユニットの就寝台への固着巾に自在性を有し、かつ広幅寝具竿（Ｌ０）の形成を兼ね持つ構造（Ｗ）の寝具乾燥器ユニットに関する。
【請求項４】
就寝時に第１乾燥竿（１３１ａ、１３１ｂ）側へ、第三乾燥竿（１３３）の退避が可能な構造と、寝具の掛け降ろしを容易にするために第三乾燥竿の一端は支柱を持たずに第二乾燥竿の延長部分にチーズ（０４３）でスライド自在に接続され、いま一方では該第一および第三乾燥竿は非接続で側面から見て開口部（Ｐ）を形成し寝具の掛け降ろしの利便さを兼ね持つ構造、および第１乾燥竿と、第３乾燥竿の高さに段差（Ｄ）を持たせて、大きな寝具を乾燥竿に掛け易くした構造の寝具乾燥機構に関する。
【請求項５】
同時乾燥希望枚数にあわせて、寝具乾燥竿の本数を簡単に加除が可能な抜き差し可能部（ＴＣ）を有する寝具乾燥器に関する。
【請求項６】
和式寝床では、寝具と畳（Ｂ）との間に敷きこむ該乾燥器ユニート（０３０）の支柱受け台として寝具台を形成している和式寝具台（２１０）に関する。
【請求項７】
寝具乾燥竿の支柱を水平に傾倒させた状態を就寝時位置（Ｓ）として就寝し、また該竿を垂直に立てて寝具乾燥位置（Ｖ）として、寝具乾燥に供することが出来る構造と機能を持つ傾倒型乾燥器付き洋式就寝台（３００）に関する。
【請求項８】
就寝台の上方で寝具の乾燥を行うことを特徴とする上記「請求項１」、「請求項２」、「請求項３」、「請求項４」、「請求項５」、「請求項６」及びに「請求項７」記載の寝具乾燥方法。に関する。
【発明の詳細な説明】
【０００１】
【発明の属する技術分野】
この発明は、就寝用のベッドなどの寝具台（１００，２００，３００）に架設された手掛け式の寝具乾燥器付寝具台「図１」、「図２」、「図５」、「図６」および「図７」、並びに該乾燥器を使用した寝具乾燥方法に関する。
【０００２】
【従来の技術】
従来、この目的の乾燥機器としては、蒲団干し竿と電気式蒲団乾燥機とがある。その他に家庭用ではなく、業務用で大型、高エネルギー、３相２００Ｖライン利用のホテル、病院、クリーニング業者用の製品が上市されているが、本器とは用途、目的、売価及び効果やユーザが全く異なるものである。
【０００３】
【発明が解決しようとする課題】
従来の洗濯竿を利用した寝具乾燥方法は、通常寝具を抱えて９００ｍｍ程と通行条件の悪い箇所を通らなければ、寝具の移動が出来ない部屋の出入り口構造のために、毎日の乾燥実施が難儀であり、かつ天候や屋外の湿度に大きく左右されると共に、寝具の乾燥が可能な時間帯が一般的な外出や、勤務及び通学などのために不在と成る日には寝具乾燥の実施ができない。更に寝具を持ち出す前に、蒲団干し竿やベランダの欄干の汚れを雑巾で掃除をしてから寝具の移動となり、煩わしくて結局は寝具干しを実行しないことが多くなりがちである。しかし寝具は毎日、寝汗で確実に湿るので湿気を蓄積すると、実に寝心地の悪い非衛生的な寝具に成ってしまうので、該問題を後述の各種のメリットを加味して解決することを目的とする。
【０００４】
また、電気式蒲団乾燥機は、乾燥機の準備と、片付けに手間がかかり、寝具乾燥のために有料の電気エネルギーを必要とし、かつ各部屋で就寝に使用していた寝具を全て乾燥させるには，電気式蒲団乾燥機を部屋別に持ち回るか、あるいは、逆に乾燥機を配置してある部屋へ、就寝に使用していた寝具を各部屋から運んでくるか、何れかを行う必要がある。４人家族で３枚の寝具で合計１２枚の寝具を扱うことは、ままならないことは明らかである。
【０００５】
蒲団乾燥竿式の蒲団乾燥器も、電気式の蒲団乾燥機のいずれも、実施するには相当に手間がかり、時間を要し、専用場所を必要とする難点がある。
【０００６】
この発明は、上記問題を解消するもので、目的は寝具の乾燥作業を阻む各種の条件、即ち天候、人手、干し場所、通路、竿の汚れ、エネルギー浪費、作業の特定人への集中、作業への人の張り付きや、物の移動などの点で、任意の日の、任意の時間に、誰でもが寝具の乾燥を毎日十分に実施できていないところを一挙に解決をするために、寝具乾燥器付就寝台（図１）、（図２）、（図５）、（図７）および寝具乾燥器付き寝具台（図６）と該就寝台および寝具台の製造方法、並びに該器具を使用した寝具乾燥方法を提供することにある。寝具乾燥の最大の敵はいかに立派なものでも、「煩わし方法では、人が寝具の乾燥を行わないこと」である。
【０００７】
【課題を解決するための手段】
上記目的を達成するために、就寝場所に寝具乾燥器ユニット（０３０）配置して、３組の乾燥竿に３枚の寝具を掛け、４枚目は敷いたままで合計４枚の寝具を同時に乾燥させる方法をとる。
【０００８】
第３乾燥竿（１３３）は、就寝者の足先（Ｆ）に配置されている第１乾燥竿支柱（０４１）側への収納状態［図２］を就寝時の位置（Ｓ）とするが、乾燥時位置（Ｖ）では３００ｍｍ程就寝台中央方向へ移動［図２］させて使用する。また就寝者の頭側（Ｈ）を乾燥ユニット位置（図示しない）とする選択も可能である。
尚、第３乾燥竿の就寝時の収納作業を特に行わなくても、就寝者が違和感を持たなければ、乾燥位置のままで使用しても自由である。乾燥器ユニットの配置を使用者が足側（Ｆ）を選べば全く操作をする必要がない。
該乾燥器付就寝台の重要な要素としている「ワンタッチで、かつスピーディな寝具の乾燥作業が可能」という条件に対応するには，あれこれと予備的な作業や、また後片付け作業を排除することにある。
【０００９】
上記の就寝台は、洋式では一般的に就寝用ベッドと成るが、日本風の畳部屋，カーペット部屋あるいは板の間部屋に直接寝床をとる方式にあっては、乾燥器ユニットの取り付け台（２１０）を別途に設けて、乾燥器の支柱（０４１）を該台の支柱受け（０４７）に差し込んで使用する。
【００１０】
寝具乾燥竿は１本竿式の（１３２）および（１３３）と、２本竿式（１３１ａ、１３１ｂ）の２種である。
２本竿式は１本竿式に比べ断面から見て寝具が乾燥時に内曲がりに成る部分が大きく開いて［図１］通気性を良くし、さらに寝具を掛けた状態が９０度で垂れ下がるので、寝具の掛け降ろしにおける滑りが楽になり、特に掛け蒲団用（Ａ１）に使用すると有効である。  また特別な使い方として２本竿式の夫々の竿（１３１ａと１３１ｂ）に掛け布団と、毛布などの組み合わせで２枚同時に掛けることも出来る。  該使用法では若干掛け辛いが、あちらこちらと寝具を持ち歩く方法と比べれば比較に成らないほど簡単である。
【００１１】
寝具を掛ける竿部分は、寝具の掛け降ろし時の滑り易さと、安全のために、丸棒形状を選ぶ。また材質はステンレスパイプ、ＡＢＳパイプ、アルミパイプまたは木製の丸棒の使用が可能であるが、ステンレスパイプを使用する実施例として提示している。
【００１２】
上記のほか、いまひとつ寝具を最大２枚同時に干す図示しない別な方法は、就寝者の足先の位置（Ｆ）と３００ｍｍほど頭寄り位置の２箇所に、門形状の図示しない乾燥竿を設けて夫々に寝具を掛けて干す手法がある。
【００１３】
製造方法は、寝具乾燥器ユニット（０３０）の大略の部分品として製造し、ユーザが寝具乾燥器付寝具台を購入後に、使用場所で各パーツを組み立てて使用することも出来て、ユーザの引越や、製造販売時の流通過程での梱包・輸送特性を向上させている。
【００１４】
本発明は就寝台と寝具乾燥器ユニット（０３０）が一体構造の方法としてきたが、いま一つの方法として、就寝台は除き該寝具乾燥器ユニット部（０３０）を単体扱いで、ユーザが手持ちの就寝台に取り付けて使用する寝具乾燥器ユニットとしての作り方と使い方がある。該ユニットの各パーツや組み立方法は共通であるが、ユーザは該寝具乾燥器ユニット部（０３０）を単体利用が可能となり、手持ちの就寝台に付加して寝具台の買い替えによる出費や廃棄物を減らすことが出来る。寝具台への支柱受けは夫々に見合う器具を必要とする。
【００１５】
【発明の実施形態】
以下、この発明の実施形態を実施例［図１〜図７］参照で説明する。
【００１６】［図５］において、就寝台両側面（１１１）から垂直に架設された支柱上の寝具第１乾燥竿（１３１ａ，１３１ｂ）と第２乾燥竿（１３２）と就寝台の長手方向側面に配置されている第３乾燥竿（１３３）に３枚（Ａ１，Ａ２，Ａ３，）までの寝具をそれぞれ二つ折りにして掛け、自然通風乾燥させると共に、覆い被さっていた寝具類が上記で取り除かれて最後に残ったマットレス（Ａ４）も、敷いたままでも開放面から自然乾燥を可能にする。また厚くて、長く、かつふかふかしている掛け蒲団（Ａ１）は第１乾燥竿（１３１１ａ，１３１ｂ）の如く２本で１竿として、９０度と緩く蒲団が折れ曲がり、折れ曲がり内側は空洞を形成させて通風を良くし、更に竿への掛け降ろしが容易に成っている。
【００１７】寝具乾燥竿（１３１ａ，１３１ｂ），（１３３）は、幅調節しろ（Ｌ２）を有する。いわゆるシングルベッドに限定してもベッド幅は様々であるが、各サイズ別の就寝台幅（Ｌ１）に対応が出来る構造［図３］となっている。
【００１８】寝具乾燥竿は３本ある。たとえば起き掛けに就寝台（１１０）または寝具台（２１０）の上で直ぐにでも第１乾燥竿（１３１ａ、１３１ｂ）に掛け蒲団（Ａ１）を、第２乾燥竿（１３２）には敷き蒲団（Ａ３）を、そして第３乾燥竿（１３３）には毛布（Ａ２）を掛けて乾燥させ、上物寝具（Ａ１，Ａ２，Ａ３）が全て取り除かれてマットレス（Ａ４）の顔が出て開放面となり、そのままでも十分に乾燥条件が整い合計４枚の寝具が乾燥状態に成る。言い換えると寝床上げ作業兼用で、即寝具乾燥作業となり短時間で寝具乾燥が実施出来る構造である。上記の如く持ち歩かないで寝具を干す作業をしたのであるから、就寝前に寝具台の上に干してある寝具を引きずり降ろすだけで簡単に寝床のセットが出来る。
【００１９】「和式寝具台」、和式の如く床面に直に寝具を敷く形式では就寝台が無いので、別途に就寝台相当の直接床に敷く和式寝具台（２１０）を設けて，寝具の下に敷き込んで使用する。尚、上記の方法は和式の畳面でも、板の間やカーペットでも乾燥器ユニットの受け台として使用できる。
【発明の効果】
本発明は、以上説明したように構成されているので、以下に記載されるような効果を奏する。
【００２０】「作業の手間」上記のように構成された寝具乾燥器においては、乾燥対象の寝具をほとんど移動させないで、寝具の直ぐ上で干すことが出来るとともに、就寝に際して寝具を敷くにも、就寝台の上方１ｍほどの高さから、乾燥させておいた寝具類を引きずり降ろして寝具台、即ちベッドなどに敷くことができる位置に寝具乾燥器ユニット（０３０）を架設してあり、寝具の乾燥及び寝床敷き作業に、手間がかからないことを特徴とする。
【００２１】「作業時間」上記の配置で寝具乾燥竿があれば寝具を干すにも、敷くにも夫々一枚１０秒以内と言う短時間で、寝具乾燥作業ができることを特徴とする。
【００２２】「各自で作業」自分の寝具台上に寝具乾燥器がそれぞれ備えられているので、寝起き時に気軽な気分で前述構造の乾燥器ユニット（０３０）に各自で寝具を干す作業ができる。また寝具を敷くにも該乾燥竿から直ぐ下に引きずり降ろせば、寝床敷き作業は完了であり、簡単であるから各自で該作業を分担できる。
【００２３】「持ち歩かなくてよい」寝具台の上で干すことが出来る寝具乾燥器であるから、その場で直ぐに干すことができるので、寝具あるいは乾燥機器を持ち歩かなくて良い。
【００２４】「天候に無関係」
該寝具乾燥器は上記の通り屋内での設置であり、天候には関係なく仕事や外出時にも安心して干しておくことができる。
【００２５】「毎日干すことができる」前述通りの条件で手間が掛からず、時間が掛からなくて、各自で寝具の乾燥作業を行うことが出来る全天候性の寝具乾燥器であるから、老若男女、生活スタイルを問わず、毎日寝具を干すことが可能となる。
【００２６】「条件が揃えば日光干し」
寝具類を上から、掛け蒲団（Ａ１）、毛布（Ａ２）、敷き蒲団（Ａ３）の合計３枚を剥がして（１３１ａ、１３１ｂ）、（１３２）、（１３３）の乾燥竿に夫々を掛けると、第４番目のマットレス（Ａ４）も寝具台から動かさなくても風通しが良くなり、乾燥効果が高まる。
即ち、就寝時に吸汗している面をベッドの上で広げておくだけの、スペース的な余裕が出来て該寝具全体の通風を良くする効果もある。しかし条件が揃っている日には、屋外で存分に日光に当てることを妨げない。梅雨時では３０日前後も晴天に恵まれない年もある。しかし該寝具乾燥器はたとえ雨天の日でも能率が落ちても寝具の湿気をそれなりに蒸発させてくれる。
【００２７】「子供の作業訓練と経験」
寝具乾燥器が取り付けられている子供就寝台に、昨今のように子供用の安全な作業労働の体験場所が少ない時代に、保護者の手助けとなるばかりでなく、それなりの年齢になれば、子供に自主性を持たせて寝具乾燥の作業に参加させることが出来て，衛生概念の家庭教育と、安全な労働訓練及び体験場所が提供できる。
【００２８】「万年床との離別」
仕事を持ち、かつ同居人に寝具の乾燥作業を依頼できない人にとっては、これを克服できる寝具乾燥器具や方法が従来見当らないから、どうかするとつい万年床化しがちと成る。自分の寝室のスマート化と、いまひとつ万年床のままで放置しておくことに起因する罪悪意識の払拭効果を持つ。
該寝具乾燥器が傍にあれば、僅か一枚１０秒足らずの時間で寝具を該乾燥器に掛けると、もはや万年床ではなくなる。また、子どもや大方のハンディキャップも自分で寝具の乾燥作業が出来ると言う喜びや満足感で一杯に成ってもらえる。衛生的に、美観的に、気分的に、次第にこの方法が素晴らしいと理解を深めて行き、寝起きに寝具乾燥器へ掛けなければ気持ちが悪いくらいになり、自然に日常の動作となって身に付いてくる。それは、「寝床の近くで、瞬時に実施出来る方法」が寄与する効果である。
【００２９】「抗菌効果」ダニや黴、蚤、虱また水虫対策に該乾燥器に寝具を大きく広げて干し、乾いた寝具で寝ることが出来て衛生対策上も好ましく、また気持ちよく睡眠が出来る。
【００３０】「消臭効果」体臭が強いとか、酒、たばこ、にんにく臭あるいは歯槽膿漏による悪臭をもつ人の寝具も臭気がかなり緩和して自他共に爽快感を満喫できる。しかし，日光干しや電気式蒲団乾燥器を否定するわけではないが、なかなかそのチャンスが無いのが現状である。何れの場合も自分のライフスタイルに合った条件が揃っている日に、可能な寝具から洗濯や二義的に日光干しとか電気乾燥器を併用するとなお良い。
【００３１】「場所の確保」就寝台の上に干す構造であるから特別に寝具を干す場所の確保が不必要である。
【００３２】「公害対策」該乾燥手法は寝具を外に干すことによる粉塵及び花粉または黄砂による公害からの回避効果をもち、公害が激甚時には窓閉め併用で悪環境からの避難対策として有効である。
【００３３】「弱者に恵み」寝汗が過多、失禁がある、要介護者、足腰が冷えるなどの人々に乾燥した快適な寝具で安眠を提供できる。
【００３４】「省エネルギー」若干の投資で該器具の使用により、有料のエネルギー消費が皆無となり、環境負荷問題や資源の浪費問題に大きく貢献できる。
【００３５】「オールシーズン対応」該寝具乾燥手法の特徴はオールシーズンで毎日欠かさず寝具の乾燥が可能となることである。太陽が直接部屋に差し込まなくて、陰干し状態で乾燥をさせても快適な安眠が得られる。
【００３６】「プライバシー弊害」寝具の乾燥問題は、寝具という極めてプライバシー性の高い案件であるが為に、日ごろの話題には余り上らないことと、いま１つは、他人が就寝台の実態をありのままの状態で、まざまざと見ることも無いことにもよる。独身の若者、単身赴任の人、共稼ぎの家庭、軍隊の駐屯地などでは特に悪条件である。これらを解決できる。
【００３７】「長時間の乾燥」他の乾燥法では乾燥時間と時刻に制限があるが、該乾燥手法では就寝中以外は任意に、何時でも、何時間でも干すことが可能であるから時間を掛けて徐々に、また毎日でも寝具の内部まで湿り気が除去されて行く。
【００３８】「乾燥と加温」
日陰の部屋でも、該乾燥手法で十分に寝具を自然乾燥させておけば、就寝開始時に直ぐに体温で暖まり、極めて寝心地の良い寝具の利用ができる。ちなみに乾燥の３要素である乾燥対象物を▲１▼広げて表面積を大きくすること。▲２▼風通しを良くすること。▲３▼温度を上げることであるが、少なくとも該乾燥方法では、要素▲１▼及び▲２▼は満足している。▲３▼の温度であるが、寝室の気温よりも下降はしない。明確にして置かなければならないことは、「寝具の加温器」の提供ではないことである。温度の上り過ぎや乾燥し過ぎは、人の肌から過剰に水分を取り除く結果を招く。即ち、寝具と体温の熱平衡状態が就寝直後に崩れて、体から寝具側へ熱が吸収されるから冷たく感じるのであって、熱不平衡を起こさせないことが肝要である。室内温湿度近辺で寝床に就けば、就寝前に体外へ放熱をしていた体温で極めて自然に寝床は暖かくなる。寝床に入って最初に冷たいと感じる寝具は、水分を多く含んでいて熱勾配が大きく体温を急激に吸収するので寒く感じるのである。水分は空気よりも熱伝導度が高いので、繊維と空気で構成されている寝具は含水量が僅少であれば熱を奪う量も少ない。寝具は繊維と空気で形成されているが、湿ると該空気が水分と置換される。ここが肝心である。四季を通して長期間に亘る自己の肌による実験により乾燥している寝具は、就寝場所で素足の肌に接触しても決して冷たいとは感じることはなく、また寝具が暖か過ぎないほうが快適であることが判明した。
【図面の簡単な説明】
【図１】寝具乾燥状況を示す斜視図
【図２】就寝状況及び全体構造説明斜視図
【図３】就寝台幅への対応機構の拡大図
【図４】乾燥竿支柱の固着部を示す側面図
【図５】寝具乾燥器付寝具台１例の詳細３面図
【図６】寝具を床面に直接敷くタイプの和式寝具台についての解説図
【図７】乾燥竿が就寝時に傾倒可能構造の乾燥器付き就寝台の側面図
【符号の説明】
１００        固定乾燥器付き洋式就寝台
２００        固定乾燥器付き和式寝具台
３００        乾燥竿傾倒型乾燥器付き洋式就寝台
０３０        寝具乾燥器ユニット
１１０        洋式就寝台
２１０        和式寝具台
１１１        洋式就寝台の縦方向側縁
１３１ａ      第１乾燥竿ａ部
１３１ｂ      第１乾燥竿ｂ部
１３２        第２乾燥竿
１３３        第３乾燥竿
０４１        支柱パイプ
０４２        連結パイプ
０４３        チーズ
０４４        エルボ
０４５        止めネジ
０４６        横受け（貫通型）
０４７        支柱受け（底部めくら）
３０１        傾倒方式乾燥竿
２０２        和式支柱受け
３０３        回転軸部
３０４        就寝位置ストッパ
３０５        乾燥位置ストッパ
Ａ１          掛け蒲団
Ａ２          毛布
Ａ３          敷き蒲団
Ａ４          マットレス
Ｂ            畳
Ｄ            段差部分
Ｆ            就寝者足側
Ｈ            就寝者頭側
Ｌ０          乾燥竿固定総長さ
Ｌ１          就寝台巾
Ｌ２          調整しろ
Ｐ            開口部
Ｓ            就寝時位置
ＴＣ          抜き差し可能部
Ｖ            乾燥時位置
【図１】
2004208980.tif 000003
【図２】
2004208980.tif 000004
【図３】
2004208980.tif 000005
【図４】
2004208980.tif 000006
【図５】
2004208980.tif 000007
【図６】
2004208980.tif 000008
【図７】
2004208980.tif 000009